(57)【要約】【課題】  スキューバダイビング、シュノーケル潜水等で潜水した場合に、ケース内部にカメラ等を収納し携行しても、十分、確実にその防水性能が発揮されるような簡単なパッキング構造の防水ケースを提供すること。【解決手段】  カメラ等を収納するケース本体と、該本体に対し開閉可能な蓋体とを水密閉合する対接縁に弾性パッキングを配設した防水ケースであって、前記パッキングは環状をなすと共に、その縦断面は基部に対し側方へ突出した突条片を一体に形成して実質的に横Ｔ字形あるいはＬ字形をなすように形成する一方、前記閉合するケースの対接縁は相互に係合する互いに異なる方向の立上がり面と受面を形成した構成とし、パッキングの前記基部をケース対接縁の略段状部の前記立上がり面に係合配設すると共に、前記突条片を前記受面に載置されるように配設せしめた。【選択図】図２
2006126762.tif 000002
【特許請求の範囲】
【請求項１】
カメラあるいはその付属品等を収納するケース本体と、該本体に対し開閉可能な蓋体とからなり、該本体と該蓋体とが水密閉合する対接縁の何れかに弾性を有するパッキングが配設された防水ケースにおいて、前記パッキングは環状をなすと共に縦断面は基部に対し側方へ突出した突条片を一体に形成して実質的に横Ｔ字形またはＬ字形をなす一方、閉合するケースの前記対接縁は相互に係合する互いに異なる方向の立上がり面と受面を形成した構成とし、パッキングはその前記基部を何れかの対接縁の前記立上がり面に係合せしめると共に前記突条片が前記受面に載置されるように配設されてなることを特徴とする防水ケース。
【請求項２】
前記本体と前記蓋体とが水密閉合する対接縁の何れかに弾性を有する環状パッキングが配設された防水ケースにおいて、前記パッキングの断面Ｔ字形の基部の一方側延出部は閉合するケースの一方側対接縁に設けられた略段状部の立上がり面に係合し、前記基部の他方側延出部は前記略段状部の折曲部に形成された溝に嵌合されると共に、前記突条片は対接縁略段状部の受面に載置されて配設され、閉合するケースの他方側対接縁略段状部によってパッキングはその基部の一方側延出部および突条片が、配設された立上がり面および受面にそれぞれ押圧されて閉合されるように構成されたことを特徴とする請求項１記載の防水ケース。
【請求項３】
前記本体と前記蓋体とが水密閉合する対接縁の何れかに弾性を有する環状パッキングが配設された防水ケースにおいて、前記パッキングの断面Ｌ字形の立上がり基部は、閉合するケースの一方側対接縁に設けられた略段状部の立上がり面に係合し、前記突条片は対接縁略段状部の受面に載置されて配設され、閉合するケースの対応した他方側対接縁略段状部によって、パッキングはその基部および突条片が配設された係合面および受面にそれぞれ押圧されて閉合されるように構成されたことを特徴とする請求項１記載の防水ケース。
【請求項４】
前記本体と前記蓋体とが水密閉合する対接縁の何れかに弾性を有する環状パッキングが配設された防水ケースにおいて、前記パッキングの基部は閉合する側端部に向けてテーパー面となっていることを特徴とする請求項１乃至請求項３の何れかに記載の防水ケース。
【発明の詳細な説明】
【技術分野】
【０００１】  本発明は、カメラあるいはその付属品としてのメモリーカード等を収納して好適な、水密性に優れた構造のパッキングを配した防水ケースに関する。
【背景技術】
【０００２】  従来、スキューバダイビングやシュノーケル潜水等で使用するカメラは、カメラ自体が防水構造になっているか、あるいは通常使用のカメラを水密性のあるケースに収納して防水性能を有したカメラとして使用する方法がとられていた。
また、デジタルカメラを使用する場合には、予備のメモリーカード等のその付属品等を収納する場合にも水密性の良好なケースが必要とされていた。【０００３】  上述した公知の防水構造は、一般にいわゆる弾性Ｏリングとしての弾性パッキングを使用したものであり、ケース本体と蓋体との両体を閉合する際の対接縁の一方に弾性パッキングを配設し、他方の縁部で押圧密着するものである。【０００４】  即ち、従来の上記弾性パッキングとしては、断面丸形のもの（例えば、特許文献１、特許文献２参照）が知られているが、閉合する本体と蓋体の一方の溝内（特許文献１）あるいは平面上（特許文献２）に上記パッキングを配設し、他方の対接縁部で押圧して密着閉合するようになっている。
しかし、この場合何れもパッキングは一本使用したものであり、圧着水密面が少なく限られており、パッキング面に少量のゴミなどの異物が付着したり、その閉合対接縁部にわずかのキズなどの損傷が存在したりした場合、あるいは一定以上の水圧のかかるところで使用した場合などには、水密性が保たれず防水性能が発揮されないという欠点があった。【０００５】  また、前記弾性パッキングとして断面丸形のものを二本使用したものも知られており（例えば特許文献３参照）、しかもこの場合、二本のパッキングは閉合する対接縁の互いに異なる方向の面にそれぞれ配設したものであるが、それぞれが独立して単に一方向に押圧している状態であり、上述の場合と同様で、水密性能は十分に保たれず、防水性能は満足に発揮されないという欠点があった。【０００６】  さらに、前記弾性パッキングとして断面異形のものも知られている（例えば、特許文献４、特許文献５、特許文献６参照）が、その一例は、一本の角型の環状パッキングの底部の両側に突条縁部を形成したもの（特許文献４）で、この場合該パッキングを配設する溝の底部にはさらに幅狭の溝を形成してその段部に上記パッキングの突条縁部が乗るようにし、両体を閉合した場合、一方側の閉合対接縁の押圧部に形成されたリブが上記パッキングの中央部を押圧して、パッキング中央部を押し込み、底部の幅狭の溝側にパッキングの対応部を変形して食い込ませるように形成したものである。
従って、この場合には、閉合した際パッキング自体が対接縁のリブで押圧変形させられ、底部溝部への押し込み部と共に長時間の変形圧力による変形部分が大きく変形してしまい、十分な弾性による水密性が得られなくなってしまうという問題があった。【０００７】  また、他の例は、一本の環状パッキングの断面上部及び下部にそれぞれ複数の凸部を設けたもの（特許文献５）で、閉合した場合、上，下部の凸部のそれぞれを同時に押圧するようにしたものである。
この場合には、パッキング自体の幅が大きくなり、押圧力が増すと共に、閉合時押圧力が分散したり押圧が均等にならなかったりして、やはり水密性能が落ち防水効果が十分に発揮されないという欠点があった。【０００８】  さらにまた、他の例としては、環状パッキングが断面角型であると共に側方に薄肉部が一体に延びて形成されたものが知られている（特許文献６）。この場合は、閉合する両体の一方の対接縁に硬度の低いシール部材として二重成形により形成したパッキングである。
この場合には、パッキングを配設した溝または段差部において、対接縁でパッキングを閉合する方向に押圧すると共に、パッキングの側方に延びた薄肉部が上記溝または段差部の側面にも圧接するようにしたものである。
しかるに、かかる側方に延びる部分は薄肉部であり、圧接する側面とは閉合する方向に擦るように折曲変形されて接触するもので、圧接力は小さく水密性の圧着面としては有効には機能しないという問題があった。【０００９】
【特許文献１】  特開２０００−３４１５６３号公報
【特許文献２】  特開２００１−２１１４号公報
【特許文献３】  特開平１１−１５４６９９号公報
【特許文献４】  特開平１１−２５８６７７号公報
【特許文献５】  特開平１１−１２１２４５号公報
【特許文献６】  特開平７−９５１０１号公報
【発明の開示】
【発明が解決しようとする課題】
【００１０】  以上述べた従来公知の弾性パッキングを用いた防水ケースは、防滴性程度の生活防水機能は有するが、例えばスキューバダイビング、シュノーケル潜水などの際に、カメラ等を収納し携行した場合には十分に耐えうる防水ケースにはなり得ないという問題があった。【００１１】  本発明は、かかる従来のパッキング構成による防水ケースの不十分な防水性能を改善し、スキューバダイビング、シュノーケル潜水等で潜水携行した場合にも、簡単な構造ながら内部にカメラ等を収納して十分にその耐水性能が発揮されるような防水ケースを提供することを目的とする。
【課題を解決するための手段】
【００１２】  本発明は、上記目的を達成するために、カメラ等を収納するケース本体と、該本体に対し開閉可能な蓋体とを、水密閉合する対接縁に弾性パッキングを配設した防水ケースであって、前記パッキングは環状をなすと共に、その縦断面は基部に対し側方へ突出した突条片を一体に形成して実質的に横Ｔ字形あるいはＬ字形をなすように形成する一方、前記閉合するケースの対接縁は相互に係合する互いに異なる方向の立上がり面と受面を形成した構成とし、パッキングはその前記基部をケース対接縁の略段状部の前記立上がり面に係合配設すると共に、前記突条片を前記受面に載置されるように配設せしめたものである。【００１３】  また、第２の課題解決手段としては、閉合するケースの対接縁を相互に係合する略段状部として形成し、パッキングはその断面Ｔ字形基部半分の一方側延出部が、閉合するケースの一方側対接縁の略段状部立上がり面に係合し、前記基部他方側半分の延出部が、前記略段状部の折曲部に形成された溝に嵌合せしめるようにし、前記突条片は対接縁略段状部の受面に載置されるように配設せしめたものである。【００１４】  さらに、第３の課題解決手段としては、閉合するケースの対接縁を相互に係合する略段部として形成し、パッキングはその断面Ｌ字形の立上がり基部が閉合するケースの一方側対接縁の略段部立上がり面に係合し、前記突条片は対接縁略段部の受面に載置されるように配設せしめたものである。【００１５】  さらにまた、第４の課題解決手段としては、パッキングはその基部を閉合する側の端部に向けて多少肉厚が薄くなるように、テーパー面をなすように形成したものである。【００１６】  上記課題の解決手段によれば、閉合するケースの相互に係合する対接縁によって、一方の対接縁に配設された環状パッキングは他方の対接縁により立上がり面と受面の異なる二方向の面に押圧されて弾性圧着されることになり、ケース間のパッキングの圧着面積を容易に大きなものとすることができる。【００１７】  また、第２の課題解決手段によれば、パッキングはその基部が両方向に延出しているので、押圧される係合面部と逆の他方側延出部をケース対設縁の溝に嵌合配設させて固定させることができる。【００１８】  さらに、第３の課題解決手段によれば、パッキングは断面Ｌ形の簡単な形状でありながら、係合面および受面の異なる方向の二面に確実に押圧されて、大きな圧着面積のものとすることができる。【００１９】  さらにまた、第４の課題解決手段によれば、パッキングはその立上がり部が閉合する側に向けてテーパー面を形成しているので、閉合する場合、閉合する側の対接縁がスムースに嵌合すると共にパッキングを対接縁の配設した係合面全体に良好に圧着せしめることができる。
【発明の効果】
【００２０】  上述したように本発明の防水ケースは、閉合するケースの対接縁に配設された弾性パッキングが大きな圧着面積で押圧され得るので、水密性を確実に、極めて良好に保つことが出来、スキューバダイビング、シュノーケル潜水などにおいて、内部にカメラなどを収納して使用する防水ケースとして極めて優れた防水性を発揮せしめることができる。【００２１】  また、弾性パッキングは断面Ｔ字形で基部延出部が溝に確実に嵌合配設されるので、パッキングの配設状態は確実となりずれなどが生じることがないので、水密性が損なわれることなく十分にその防水性能が発揮されうる。【００２２】  さらに、弾性パッキングが断面Ｌ字形の場合、構造は極めて簡単でありながら対接縁部における圧着面積は大きいので、水密性は確実であり、防水ケースとして十分にその機能を発揮し得る。【００２３】  さらにまた、弾性パッキングは閉合する側に向けてテーパー面をなしているので、ケースの閉合がスムースに出来ると共にパッキング面全体に圧着力を均一に掛けることができ、大きな圧着面で水密性を良好に保ち、防水性を十分に発揮せしめることが出来る。
【発明の実施するための最良の形態】
【００２４】  以下、本発明の実施の形態を図面に基づいて説明する。
図１は本発明の防水ケースの開蓋状態の斜視図であり、図２は該防水ケースの閉蓋状態の図１の一部を省略したＩＩ−ＩＩ線断面図である。
図１，２において、１は本発明に係る透明なプラスチックにより形成されたカメラケースを示しており、図示しないカメラが収納されるケース本体２と、蝶番部３によって開閉可能に取付けられた蓋体４とから構成されている。
【００２５】  該蓋体４には、収納したカメラの撮影用レンズ鏡筒部が対接する開口部５が設けられており、本体２および蓋体４の相互に対接して嵌合閉成する略段状の対接縁６，７が形成され、本体２の対接縁６には全周にわたって環状の、この場合断面Ｔ字形弾性パッキング８が配設されている。
蓋体４には本体２に対し閉成した際に相互間をロックするロックレバー９が揺動可能に配設されている。
【００２６】  図３は、弾性パッキングの縦断面図で、この場合断面Ｔ字形のパッキング８を示しており、その基部８１は一方側延出部８２、他方側延出部８３からなり、該基部８１の略中間部からは略直角に外側方に突出した突条片８４が一体に形成されている。
【００２７】  図４は、図２の円Ａ部分の拡大断面図であるが、ケース本体２の対接縁６は、立上がり面６１と略直角方向の受面６２を形成して略段状部をなすと共に、その折曲部に溝６３が形成されている。一方蓋体４の対接縁７は、上記本体２の対接縁６に対応して係合し閉合するように立上がり面７１と略直角方向の受面７２を形成して略段状部を構成している。この場合にも面７１，７２の折曲部には浅い溝７３を形成しておくことが好ましい。
【００２８】  かくして、弾性パッキング８は、基部８１の一方側延出部８２をケース本体２の対接縁６の立上がり面６１に係合させ、他方側延出部８３端を溝６３に嵌合させると共に突条片８４を対接縁６の受面６２に係合配設して、必要により接着剤を介して固定する。
この場合、パッキング８の閉合側端部に向けた基部８１の一方側延出部８２は、端部に向けて順次薄くなるようなテーパー面８５として形成されている。
【００２９】  かかる状態にパッキング８を配設したケース本体２に対し、蓋体４を閉合し対接縁６，７を相互に嵌合すれば、蓋体４の立上がり部７１の嵌合面はパッキング８のテーパー面８５にスムースに係合してパッキング８全体を押圧し、ロックレバー９を係止すれば、パッキング８はその基部８１全体が対接縁６の立上がり面６１に均一な圧着力で押圧密着される。
また、閉合する蓋体４の立上がり部７１の端部は、パッキング８の突条片８４を均一な圧着力で押圧して受面６２に密着させる。
この際、蓋体４の立上がり面７１、受面７２に対してもパッキング８は同様に押圧密着されるのは勿論、溝６３，７３の面に対しても押圧密着される。
【００３０】  図５は、上述実施例の異なる形態を示した図４に相当する部分の拡大断面図であるが、この場合には、パッキング８０の突条片８０４の押圧面にさらに小さな突条部８０５を環状に一体に形成したものである。
これによれば、対接縁による閉合押圧がより確実に行われ、押圧密着はより確実となる。
なお、上述実施例においてパッキングはケース本体側に配設した場合を述べたが、これとは逆に、パッキングは蓋体側に配設してもよいのは勿論である。
【図面の簡単な説明】
【００３１】
【図１】  本発明の実施態様を示す防水ケースの開蓋状態の斜視図
【図２】  同防水ケースの閉蓋状態の図１の一部を省略したＩＩ−ＩＩ線断面図
【図３】  同弾性パッキングの一部を省略した縦断面図
【図４】  図２の円Ａ部分の拡大断面図
【図５】  異なる実施例の図４に相当する閉合ロック前拡大断面図
【符号の説明】
【００３２】１      防水ケース
２      ケース本体
４      蓋体
６，７        対接縁
６１，７１    立上がり面
６２，７２    受面
６３，７３    溝
８      弾性パッキング
８１    基部
８２    一方側延出部
８３    他方側延出部
８４    突条片
【図１】
2006126762.tif 000003
【図２】
2006126762.tif 000004
【図３】
2006126762.tif 000005
【図４】
2006126762.tif 000006
【図５】
2006126762.tif 000007